(57)【要約】【課題】釣竿収納空間の開放時および閉塞時のいずれにおいても見栄えが良く、収納空間内に収納される釣竿の損傷を防止できるとともに、収納空間内からの釣竿の取り出しが容易な釣竿ケースを提供する。【解決手段】本発明の釣竿ケース１は、内側ケース部１０と外側ケース部２０とを備える。外側ケース部２０は、外側ケース部２０の内面２９部位に設けられるとともに、外側ケース部２０が内側ケース部１０に嵌め付けられる際に内側ケース部１０の部位１９と当接することによって内側ケース部１０の先端開口１１と内側ケース部１０の先端開口１１を閉塞する外側ケース部２０の閉塞端面２７との間に隙間空間Ｓ２を形成して該隙間空間Ｓ２を保持する当接部２６と、内側ケース部１０の外周面１０ａと嵌合する嵌合部２５とを有する。【選択図】図１
2014161311.tif 000002
【特許請求の範囲】
【請求項１】
釣竿を収納するための収納空間を形成する有底円筒状の内側ケース部と、該内側ケース部の先端開口を閉塞するように内側ケース部の外周に嵌め付けられる外側ケース部とを備えてなる釣竿ケースであって、
前記外側ケース部は、
前記外側ケース部の内面部位に設けられるとともに、前記外側ケース部が前記内側ケース部に嵌め付けられる際に前記内側ケース部の部位と当接することによって前記内側ケース部の先端開口と前記内側ケース部の先端開口を閉塞する前記外側ケース部の閉塞端面との間に隙間空間を形成して該隙間空間を保持する当接部と、
前記内側ケース部の外周面と嵌合する嵌合部と、
を有することを特徴とする釣竿ケース。
【請求項２】
前記当接部は、前記外側ケース部の内面に形成される段差部であり、前記外側ケース部が前記内側ケース部に嵌め付けられる際に前記内側ケース部の先端開口の端縁に当接することを特徴とする請求項１に記載の釣竿ケース。
【請求項３】
前記嵌合部は、前記当接部から前記外側ケース部の軸方向に所定の間隔を隔てて設けられていることを特徴とする請求項１または請求項２に記載の釣竿ケース。
【請求項４】
前記内側ケース部の前記収納空間の軸方向長さは、該収納空間内に収納される釣竿の長さよりも短く設定されていることを特徴とする請求項１ないし請求項３のいずれか１項に記載の釣竿ケース。
【請求項５】
前記外側ケース部の前記隙間空間の内径が前記内側ケース部の内径よりも大きく設定されることを特徴とする請求項１ないし請求項４のいずれか１項に記載の釣竿ケース。
【請求項６】
前記当接部は、前記外側ケース部が前記内側ケース部に嵌め付けられる際に前記内側ケース部の部位と当接することによって前記嵌合部と前記内側ケース部の外周面との嵌合量を規定することを特徴とする請求項１ないし請求項５のいずれか１項に記載の釣竿ケース。
【請求項７】
前記内側ケース部は、前記先端開口とは反対側の部位に底部を有し、この底部には前記収納空間と外部環境とを連通させる通孔が形成されていることを特徴とする請求項１ないし請求項６のいずれか１項に記載の釣竿ケース。
【発明の詳細な説明】
【技術分野】
【０００１】
本発明は、釣竿を収納するための釣竿ケースに関する。
【背景技術】
【０００２】
現在では、釣りの多様化に伴い、釣竿の種類も豊富であり、したがって、釣竿を収納するための釣竿ケースも多種多様なものが存在する（例えば、特許文献１ないし特許文献３参照）。
【０００３】
そのような多種多様に存在する釣竿ケースのうち、例えばタナゴ用の釣竿や小鮒用の釣竿などの細くて短い釣竿を収納するものにおいては、釣竿を収納するための収納空間を形成する細長い有底円筒状のケース本体と、該ケース本体の先端開口を閉じる略キャップ状の蓋体とを備えてなる釣竿ケースが良く知られている。
【０００４】
このような筒状の釣竿ケースは、典型的なものでは、例えば表彰状を収納する一般に知られる筒状のケースに似た構造を成しており、そのような釣竿ケースにあっては、ケース本体の先端開口を有する端部の外周面に環状の段差部が形成され、先端開口を閉じるべくケース本体の先端外周に嵌合して取り付けられる蓋体の端縁が前記段差部に突き当たることにより、ケース本体の前記収納空間が密閉状態で画定されるようになっている。
【先行技術文献】
【特許文献】
【０００５】
【特許文献１】特開２００１−２５８４４９号公報
【特許文献２】実開昭５０−７２６９４号公報
【特許文献３】実公平４−５３２６８号公報
【発明の概要】
【発明が解決しようとする課題】
【０００６】
しかしながら、そのような筒状の釣竿ケースでは、段差部がケース本体の外周面に形成されているため、ケース本体から蓋体を外した状態では、この段差部の存在によって見栄えが悪くなる。
【０００７】
また、蓋体の端縁がケース本体の段差部に突き当たった状態では、多くの場合、段差部に突き当たる端縁とは反対側の蓋体の底部がケース本体の先端開口の端縁にほぼ突き当たる状態に位置されるため、ケース本体に嵌め付けられる蓋体の底部によって収納空間内の釣竿が損傷されないように、釣竿は収納空間内に完全に入り込んだ状態で収納される必要があり、その場合には、ケース本体内から釣竿を取り出し難くなる。逆に、釣竿の取り出し易さを重視するあまり、釣竿をケース本体の先端開口から外側に一部突出させた状態で収納すると、蓋体をケース本体に嵌め付ける際に、蓋体の底部によって釣竿を損傷させる虞がある。
【０００８】
本発明は、前述した問題に着目してなされたものであり、釣竿収納空間の開放時および閉塞時のいずれにおいても見栄えが良く、収納空間内に収納される釣竿の損傷を防止できるとともに、収納空間内からの釣竿の取り出しが容易な釣竿ケースを提供することを目的とする。
【課題を解決するための手段】
【０００９】
上記目的を達成するために、本発明は、釣竿を収納するための収納空間を形成する有底円筒状の内側ケース部と、該内側ケース部の先端開口を閉塞するように内側ケース部の外周に嵌め付けられる外側ケース部とを備えてなる釣竿ケースであって、前記外側ケース部は、前記外側ケース部の内面部位に設けられるとともに、前記外側ケース部が前記内側ケース部に嵌め付けられる際に前記内側ケース部の部位と当接することによって前記内側ケース部の先端開口と前記内側ケース部の先端開口を閉塞する前記外側ケース部の閉塞端面との間に隙間空間を形成して該隙間空間を保持する当接部と、前記内側ケース部の外周面と嵌合する嵌合部とを有することを特徴とする。
【００１０】
上記構成によれば、外側ケース部の当接部が内側ケース部の部位と当接することによって内側ケース部の収納空間が閉塞状態で画定されるようになるが、そのような収納空間の画定に関与する当接部が外側ケース部の内面部位に設けられるため、例えばこの当接部を内側ケース部の先端開口の端縁に当接させるようにすることにより当接部と当接するための部位（例えば段差部）を内側ケース部の外周面に形成しなくても済むようになる。このようにすると、外側ケース部を内側ケース部に嵌め付けた状態では、外側ケース部の内面部位に形成される当接部が外側から見えず、また、外側ケース部を内側ケース部から取り外した状態でも、当接部と当接するための部位、例えば段差部が内側ケース部の外周面に存在しないため、見栄えが良くなる。すなわち、釣竿収納空間の開放時および閉塞時のいずれにおいても見栄えを良くすることが容易に可能となる。
【００１１】
また、上記構成によれば、外側ケース部が内側ケース部に嵌め付けられる際に外側ケース部の当接部が内側ケース部の部位と当接することによって内側ケース部の先端開口と内側ケース部の先端開口を閉塞する外側ケース部の閉塞端面との間に隙間空間が形成されて該隙間空間が保持されるため、釣竿を内側ケース部の先端開口から外側に一部突出させた状態で収納しても、外側ケース部を内側ケース部に嵌め付けた際に外側ケース部の閉塞端面が釣竿に当て付くことがなく、その当て付きに伴う釣竿の損傷を防止できる。また、前記隙間空間の存在に起因して、釣竿を内側ケース部の先端開口から外側に一部突出させた状態で収納できるため、外側ケース部を内側ケース部から取り外して釣竿を収納空間から取り出す際には、内側ケース部の先端開口から突出する釣竿の部分を摘まんで取り出すことができ、収納空間内からの釣竿の取り出しが容易となる。
【発明の効果】
【００１２】
本発明の釣竿ケースは、外側ケース部の内面部位に当接部を有し、この当接部が内側ケース部の部位と当接することによって内側ケース部の先端開口と内側ケース部の先端開口を閉塞する外側ケース部の閉塞端面との間に隙間空間が形成されて該隙間空間が保持されるようになっているため、釣竿収納空間の開放時および閉塞時のいずれにおいても見栄えが良く、収納空間内に収納される釣竿の損傷を防止できるとともに、収納空間内からの釣竿の取り出しが容易である。
【図面の簡単な説明】
【００１３】
【図１】外側ケース部を内側ケース部に嵌め付けた状態の本発明の一実施形態に係る釣竿ケースの側面図である。
【図２】外側ケース部を内側ケース部に嵌め付けた状態の図１の釣竿ケースの側断面図である。
【図３】外側ケース部を内側ケース部から取り外した状態（内側ケース部の収納空間内に釣竿が一部突出した状態で収納された状態）の図１の釣竿ケースの側断面図である。
【図４】外側ケース部を内側ケース部に嵌め付けた状態の図１の釣竿の変形例の側断面図である。
【発明を実施するための形態】
【００１４】
以下、図面を参照しながら、本発明に係る釣竿ケースの一実施形態について説明する。
図１および図２は、例えばタナゴ用の釣竿や小鮒用の釣竿などの細くて短い１または複数の釣竿７０，７２（図３参照）を収納するための釣竿ケース１を示している。
【００１５】
これらの図に示されるように、釣竿ケース１は、釣竿７０，７２（図３参照）を収納するための収納空間Ｓ１を形成する有底円筒状の内側ケース部１０と、内側ケース部１０の先端開口１１を閉塞するように内側ケース部１０の外周に嵌め付けられる外側ケース部２０とを備えて成る。内側ケース部１０は、先端開口１１とは反対側の部位に底部１４を有し、また、外側ケース部２０は、内側ケース部１０の先端開口１１を閉塞する（より正確には、後述するように所定の軸方向距離を隔てて閉塞する）閉塞端面２７を有する。
【００１６】
なお、これらのケース部１０，２０は、例えば強化繊維や合成樹脂等によって形成されることが好ましい。そのような材質で形成することにより、外的衝撃に対して強くなり、収納物である釣竿の破損を防止できる。しかしながら、ケース部１０，２０が木材や金属を含む他の材料によって形成されてもよいことは言うまでもない。また、ケース部１０，２０は、四角形や三角形等の多角形の断面形状を有することが好ましい。このような断面形状にすることにより、地面等に対して釣竿ケース１が安定し、ケース１の転がりによる落下等を防止できる。しかしながら、ケース部１０，２０が円形の断面形状を有していても構わない。
【００１７】
外側ケース部２０は、その閉塞端面２７から軸方向に所定の間隔（軸方向距離Ｌ２）を隔てたその内面２９の部位に当接部２６を有する。この当接部２６は、外側ケース部２０の径方向内側へ向けて略直角の段差部を成して突出形成されており、図１および図２に示されるように外側ケース部２０が内側ケース部１０の外周に嵌め付けられる際に、内側ケース部１０の所定の部位、本実施形態では内側ケース部１０の先端開口１１（収納空間Ｓ１を外部に対して開放する開口）の端縁１９に当接することによって、内側ケース部１０の先端開口１１と外側ケース部２０の閉塞端面２７との間に隙間空間Ｓ２を形成して該隙間空間Ｓ２を保持するようになっている。
【００１８】
また、外側ケース部２０は、内側ケース部１０の外周面１０ａと例えば圧入によって嵌合する嵌合部２５を、閉塞端面２７と反対側の端部に有する。具体的に、本実施形態では、内側ケース部１０の外周面１０ａに形成される段差部１７により、外側ケース部２０が内側ケース部１０に嵌め付けられる際に外側ケース部２０の内面２９と内側ケース部１０との外周面１０ａとの間に隙間３５が形成され、それにより、嵌合部２５が当接部２６から外側ケース部１０の軸方向に所定の間隔を隔てて離間される。特に本実施形態において、嵌合部２５は、当接部２６から軸方向に距離Ｌ４だけ隔てられた外側ケース部２０の端縁２８を起点として軸方向に所定の長さ範囲Ｌ１にわたって形成される。
【００１９】
したがって、嵌合部２５は、外側ケース部２０が内側ケース部１０に嵌め付けられる際に外側ケース部２０の当接部２６が内側ケース部１０の先端開口１１の端縁１９と当接することによって、内側ケース部１０の外周面１０ａとの嵌合量が規定される。このように、嵌合部２５を当接部２６から軸方向に離間させ、当接部２６の当接によって嵌合部２５の嵌合量を規定するようにすれば、外側ケース部２０と内側ケース部１０との間の嵌合精度が格段に向上される（嵌合状態が良好になる）。
【００２０】
また、嵌合部２５の嵌合状態を良好にするためには、嵌合部２５の嵌合量Ｌ１を長く設定することが好ましい。この場合、嵌合部２５を当接部２６から端縁２８までの全長にわたって形成することも可能であり、そのようにすると、嵌合部２５は、当接部２６から所定の間隔を隔てることなく当接部２６に隣接するようになるが、内側ケース部１０の外周面１０ａに段差部１７が無くなることにより、外側ケース部２０を内側ケース部１０から取り外した際の内側ケース部１０の見栄えが良くなるという利点が得られる。また、嵌合部２５の損傷を防止するため、嵌合部２５またはその一部（特に内周面）をカーボンによって形成することが好ましい。
【００２１】
なお、釣竿ケース１を持ち運んだり、釣竿ケース１に釣竿を収納する際の釣竿と釣竿ケース１との衝突による衝撃を緩和するため、外側ケース部２０内および内側ケース部１０内には、外側ケース部２０の閉塞端面２７および内側ケース部１０の底部１４に隣接して緩衝部材３０，４０が設けられるのが好ましい。
【００２２】
また、本実施形態において、内側ケース部１０の収納空間Ｓ１の軸方向長さＬ５（図３参照：図示のように緩衝部材４０が存在する場合には、緩衝部材４０から先端開口１１までの軸方向長さ）は、収納空間Ｓ１内に収納される釣竿７０，７２の長さＬ６よりも短く設定されている。すなわち、収納空間Ｓ１内に収納される釣竿７０，７２の一部が内側ケース部１０の先端開口１１から所定長さＬ３だけ突出するようになっている。なお、図３中、参照符号７３は釣竿７２のグリップであり、参照符号７４は釣竿７２の先端開口を塞ぐ上栓である。
【００２３】
また、本実施形態では、外側ケース部２０の隙間空間Ｓ２の内径Ｒ２（図１参照）が内側ケース部１０の内径ｒ１（図１参照）よりも大きく設定されている。このようにすると、収納空間Ｓ１内に収納される釣竿が当接部２６に当接することを回避できる。また、本実施形態では、嵌合部２５の密な嵌合を確保するため、内側ケース部１０の外径ｒ２と外側ケース部２０の嵌合部２５の内径Ｒ１とがほぼ同一に設定される。
【００２４】
また、本実施形態において、内側ケース部１０の底部１４には収納空間Ｓ１と外部環境とを連通させるための通孔１３が形成されている。本実施形態の釣竿ケース１は、その内部空間Ｓ１，Ｓ２内に空気が存在し得るため、水面にケース１を落としても沈まず、したがって、ケース１の紛失を防止できるが、その内部の空気の圧力によって内側ケース部１０と外側ケース部２０とが相対的に軸方向に移動（したがって、嵌合部２５が外れる場合がある）する所謂ピストン現象も生じ得るため、このように通孔１３を設けて内部空間Ｓ１，Ｓ２内の空気を外部に逃がすようにすれば、前記ピストン現象を回避でき有益である。なお、通孔１３は、内側ケース部１０の側面に設けられていても構わない。
【００２５】
以上説明したように、本実施形態によれば、外側ケース部２０の当接部２６が内側ケース部１０の部位と当接することによって内側ケース部１０の収納空間Ｓ１が閉塞状態で画定される（図１および図２参照）ようになるが、そのような収納空間Ｓ１の画定に関与する当接部２６が外側ケース部２０の内面２９部位に設けられるため、本実施形態のように当接部２６を内側ケース部１０の先端開口１１の端縁１９に当接させるようにすることにより当接部２６と当接するための部位（例えば段差部）を内側ケース部１０の外周面１０ａに形成しなくても済むようになる。このようにすると、外側ケース部２０を内側ケース部１０に嵌め付けた状態（図１および図２の状態）では、外側ケース部２０の内面２９部位に形成される当接部２６が外側から見えず、また、外側ケース部２０を内側ケース部１０から取り外した状態（図３の状態）でも、当接部２６と当接するための部位、例えば段差部（前述した段差部１７とは異なる）が内側ケース部１０の外周面１０ａに存在しないため、見栄えが良くなる。すなわち、釣竿収納空間の開放時および閉塞時のいずれにおいても見栄えを良くすることが容易に可能となる。
【００２６】
また、本実施形態によれば、外側ケース部２０が内側ケース部１０に嵌め付けられる際に外側ケース部２０の当接部２６が内側ケース部１０の部位（先端開口１１の端縁１９）と当接することによって内側ケース部１０の先端開口１１と外側ケース部２０の閉塞端面２７との間に隙間空間Ｓ２が形成されて該隙間空間Ｓ２が保持されるため、釣竿７０，７２を内側ケース部１０の先端開口１１から外側に一部突出させた図３の状態で収納しても、外側ケース部２０を内側ケース部１０に嵌め付けた際に外側ケース部２０の閉塞端面２７が釣竿に当て付くことがなく、その当て付きに伴う釣竿の損傷を防止できる。また、隙間空間Ｓ２の存在に起因して、釣竿７０，７２を内側ケース部１０の先端開口１１から外側に一部突出させた図３の状態で収納できるため、外側ケース部２０を内側ケース部１０から取り外して釣竿７０，７２を収納空間Ｓ１から取り出す際には、内側ケース部１０の先端開口１１から突出する釣竿７０，７２の部分を摘まんで取り出すことができ、収納空間Ｓ１内からの釣竿７０，７２の取り出しが容易となる。
【００２７】
なお、本発明は、前述した実施形態に限定されず、その要旨を逸脱しない範囲で、種々変形して実施できる。例えば、前述した実施形態では、外側ケース部２０の当接部２６が嵌合部２５から軸方向に離間され、当接部２６が内側ケース部１０の先端開口１１の端縁１９と当接しているが、図４に示されるように、外側ケース部２０の当接部２６が外側ケース部２０の端縁２８の近傍に嵌合部２５と隣接して設けられ、この当接部２６が内側ケース部１０の外周面１０ａに形成される段部１８に当接するようになっていてもよい。この場合には、収納空間Ｓ１から突出する釣竿の部分と当接部２６との当接を回避できる。
【符号の説明】
【００２８】
１  釣竿ケース
１０  内側ケース部
１１  先端開口
１３  通孔
１４  底部
１９  端縁
２０  外側ケース部
２５  嵌合部
２６  当接部
２７  閉塞端面
２９  内面
７０，７２  釣竿
Ｓ１  収納空間
Ｓ２  隙間空間
【図１】
2014161311.tif 000003
【図２】
2014161311.tif 000004
【図３】
2014161311.tif 000005
【図４】
2014161311.tif 000006